(57)【要約】【課題】図面に係る大量の画像データを図面属性データに対応させて効率的に蓄積することができるとともに、所望の図面を効率的に検索して出力することのできる図面管理システムを提供する。【解決手段】図面検索装置２０は、図面属性データに基づいて設定した検索条件に従い、図面情報蓄積装置１６に蓄積された単品図面に係る画像データ又は束図面の１つに係る画像データを検索し、それらを表示する。次いで、表示された単品図面をスクロールし、あるいは、表示された束図面を構成する各図面をスクロールすることで所望の図面の絞り込みを行う。【選択図】図１
2005135121.tif 000002
【特許請求の範囲】
【請求項１】
画像データとして登録された複数の図面から、前記図面に係る図面属性データに基づいて所望の図面を検索して出力する図面管理システムであって、
前記図面属性データと前記画像データとが一対一に対応する単品図面と、前記図面属性データと前記画像データとが一対多の関係で対応する束図面とを、前記図面属性データに関連させて蓄積する図面情報蓄積装置と、
前記図面属性データを検索条件として前記画像データを検索し、前記画像データに基づいて所望の図面を出力する図面検索装置と、
を備え、
前記図面検索装置は、前記検索条件から前記画像データを検索し、前記画像データに基づいて前記単品図面又は前記束図面の１つを表示する図面表示部と、
前記単品図面間で表示を切り替える単品図面切替部と、
前記束図面を構成する図面間で表示を切り替える束図面切替部と、
を有することを特徴とする図面管理システム。
【請求項２】
請求項１記載のシステムにおいて、
前記単品図面切替部は、前記束図面の１つを含む前記単品図面間で表示を切り替えることを特徴とする図面管理システム。
【請求項３】
請求項１記載のシステムにおいて、
前記単品図面切替部又は束図面切替部は、前記単品図面又は前記束図面を構成する図面の表示切替速度が調整可能に構成されることを特徴とする図面管理システム。
【請求項４】
請求項１記載のシステムにおいて、
前記束図面は、文書イメージを含むことを特徴とする図面管理システム。
【発明の詳細な説明】
【技術分野】
【０００１】
本発明は、画像データとして登録された複数の図面から、前記図面に係る図面属性データに基づいて所望の図面を検索して出力する図面管理システムに関する。
【背景技術】
【０００２】
従来から、多数の設計図面等をスキャナにより読み込んで記憶装置に記憶しておき、必要に応じて検索条件を指定して所望の図面を検索して表示するようにしたシステムが開発されている。
【０００３】
例えば、特許文献１に開示された従来技術では、図面データを図面記憶部に記憶しておき、図面の検索命令が入力されると、検索命令に該当する図面データを前記図面記憶部から検索し、図面として紙面上に出力するようにしている。
【０００４】
【特許文献１】特開平６−４４３３０号公報
【発明の開示】
【発明が解決しようとする課題】
【０００５】
ところで、特許文献１の場合、所望の図面データを図面記憶部から検索するためには、各図面データに対して図面属性データを設定しておき、検索命令に対応する図面属性データを有する図面データを検索するか、あるいは、検索命令に従って全ての図面データを読み出して表示させる必要がある。
【０００６】
図面属性データに基づいて所望の図面を検索する場合、図面記憶部に記憶される全ての図面データに対して図面属性データを設定しなければならないため、その作業に多大な時間を要してしまう。従って、図面記憶部に記憶させることのできる図面の量が作業時間に依存して大きく制約されてしまう。また、検索命令に従って全ての図面を表示する場合には、表示のために長時間が費やされることになる。
【０００７】
本発明は、前記の課題を解決するためになされたものであり、図面に係る大量の画像データを図面属性データに対応させて効率的に蓄積することができるとともに、所望の図面を効率的に検索して出力することのできる図面管理システムを提供することを目的とする。
【課題を解決するための手段】
【０００８】
本発明の図面管理システムは、画像データとして登録された複数の図面から、前記図面に係る図面属性データに基づいて所望の図面を検索して出力する図面管理システムであって、
前記図面属性データと前記画像データとが一対一に対応する単品図面と、前記図面属性データと前記画像データとが一対多の関係で対応する束図面とを、前記図面属性データに関連させて蓄積する図面情報蓄積装置と、
前記図面属性データを検索条件として前記画像データを検索し、前記画像データに基づいて所望の図面を出力する図面検索装置と、
を備え、
前記図面検索装置は、前記検索条件から前記画像データを検索し、前記画像データに基づいて前記単品図面又は前記束図面の１つを表示する図面表示部と、
前記単品図面間で表示を切り替える単品図面切替部と、
前記束図面を構成する図面間で表示を切り替える束図面切替部と、
を有することを特徴とする（請求項１記載の発明）。
【０００９】
この場合、図面属性データと束図面を構成する多数の画像データとが一対多の関係で設定されているため、大量の束図面に対して図面属性データを容易に設定して図面情報蓄積装置に蓄積することができる。
【００１０】
図面検索装置は、検索条件に応じた図面属性データが設定された単品図面又は束図面の１つを図面情報蓄積装置から検索して図面表示部に表示する。図面表示部によって表示された単品図面は、単品図面切替部によって単品図面間で表示が順次切り替えられ、その中から所望の単品図面を選択することができる。また、図面表示部によって表示された束図面の１つは、束図面切替部によって束図面を構成する図面間で表示が順次切り替えられ、その中から所望の図面を選択することができる。
【００１１】
なお、単品図面切替部により束図面の１つを含む単品図面間で表示の切り替えを行い、束図面が表示された後、必要に応じてその束図面を構成する図面を束図面切替部によって切り替えることにより、所望の図面の検索作業を効率的に行うことができる（請求項２記載の発明）。
【００１２】
また、単品図面切替部又は束図面切替部による図面の表示速度を切替可能とすることにより、作業者の熟練度や図面の内容に応じた適切な表示切替処理を行うことができる（請求項３記載の発明）。
【００１３】
また、図面情報蓄積装置に蓄積される図面は、設計図面等を単品図面とする一方、回路図面や、検討書、見積書等の文書イメージからなる図面を纏まりのある束図面とし、これらの束図面に対して共通する図面属性データ設定することができる（請求項４記載の発明）。
【発明の効果】
【００１４】
本発明の図面管理システムでは、図面属性データと画像データとが一対一に対応する単品図面と、図面属性データと画像データとが一対多の関係で対応する束図面とに分類して図面情報蓄積装置に蓄積しているため、全ての図面に対して検索のための図面属性データを設定する必要がなく、図面の登録作業を軽減して大量の図面の登録を可能とする。また、所望の図面を検索する際、図面属性データに基づいて単品図面及び束図面の１つを検索し、検索された図面を順次切り替えて表示することにより、所望の図面を容易に得ることができる。
【発明を実施するための最良の形態】
【００１５】
図１は、本実施形態の図面管理システム１０の全体構成を示す。図面管理システム１０は、図面登録装置１２、図面情報編集装置１４、図面情報蓄積装置１６、図面保存処理装置１８、図面検索装置２０、図面作成装置２２、出力装置２４Ａ〜２４Ｃがネットワーク２６を介して相互に接続されて構成される。
【００１６】
図面登録装置１２は、接続されているスキャナ２８を用いて図面３０を読み込み、間引き処理等の圧縮処理を施していない図面実画像データＤｏｒｇとしてデータ記憶装置３２に登録する。データ記憶装置３２には、図面実画像データＤｏｒｇとともに、図面情報編集装置１４によって編集された図面属性データＤａｔｔが図面実画像データＤｏｒｇに関連付けて登録される。
【００１７】
なお、図面３０には、機器や設備の構成、回路図面等を記載した紙図面だけでなく、設備工事に係る検討書、計算書、見積書等のあらゆる紙書類の文書イメージも含まれる。また、図面属性データＤａｔｔとは、詳細については後述するが、図面３０を特定するＩＤ番号、図面名称、図面３０に対応する部門やライン等の部署情報、図面３０の作成年月日、図面３０の担当者名等のデータである。
【００１８】
図面情報編集装置１４は、図面登録装置１２を制御して図面３０の登録処理や編集処理を行うとともに、図面情報蓄積装置１６を制御し、図面情報蓄積装置１６に接続されたデータ記憶装置３４に図面実画像データＤｏｒｇ及び図面属性データＤａｔｔを含む種々のデータを蓄積する処理を行う。
【００１９】
図２に示すように、図面情報編集装置１４は、図面登録装置１２に接続されたデータ記憶装置３２に対する図面実画像データＤｏｒｇ及び図面属性データＤａｔｔの入出力処理を行う図面入出力手段３６と、図面３０の読込処理に際して解像度、読込サイズ、読込方向等のスキャナ２８に備わる一般的な図面読込条件を設定する図面読込条件設定手段３８と、読み込んだ図面３０に係る図面実画像データＤｏｒｇに対して間引き処理等の圧縮処理を施して図面圧縮画像データＤｃｏｍを作成する図面圧縮手段４０と、各種データの編集処理を行うデータ編集手段４２と、各図面３０を特定するためのＩＤ番号が印刷されたバーコード４４（図１）を出力装置２４Ａを用いて印刷するためのバーコード出力手段４６と、既に登録されている図面３０の改廃処理を行う図面改廃手段４８とを備える。
【００２０】
ここで、データ編集手段４２によって編集されるデータとしては、図面実画像データＤｏｒｇ、図面圧縮画像データＤｃｏｍ及び図面属性データＤａｔｔの他、図面番号マスタテーブルＭＴ１、汎用コードマスタテーブルＭＴ２、図面履歴マスタテーブルＭＴ３、廃棄図面マスタテーブルＭＴ４、工事マスタテーブルＭＴ５があり、これらのデータは、図面情報蓄積装置１６に接続されたデータ記憶装置３４に記憶される。
【００２１】
図面番号マスタテーブルＭＴ１は、図面３０に対して図面番号を重複することなく設定するための管理テーブルであり、図面登録に先立つ図面番号を含む図面予約データを格納する。汎用コードマスタテーブルＭＴ２は、図面属性データＤａｔｔを設定及び検索するためのキーワードの管理テーブルであり、キーワードとして、例えば、登録する図面３０の種類、図面３０の担当者の氏名、図面３０に対応する部署情報等を格納する。図面履歴マスタテーブルＭＴ３は、図面３０の改訂に伴う古い図面３０に係る情報を格納する。廃棄図面マスタテーブルＭＴ４は、廃棄した図面３０に係る情報を格納する。工事マスタテーブルＭＴ５は、図面３０を使用した工事情報を格納する。
【００２２】
図面保存処理装置１８は、ＣＤ−ＲＯＭ等を介してマイクロフイルム５０（外部記憶媒体）に図面３０のイメージをそのまま保存する処理を行う。図面保存処理装置１８は、マイクロフイルム５０に保存されていない図面３０を図面属性データＤａｔｔであるマイクロフイルム（ＭＦ）保管フラグに基づいて検索する図面検索手段５２と、検索された図面属性データＤａｔｔに係る図面３０を図面実画像データＤｏｒｇに基づいてＣＤ−ＲＯＭ等に出力する図面出力手段５４と、図面３０をＣＤ−ＲＯＭ等を介してマイクロフイルム５０に記録した際、図面３０に係る図面属性データＤａｔｔのＭＦ保管フラグを設定する属性データ編集手段５６とを備える。
【００２３】
図面検索装置２０は、図面３０の登録を希望する作業者毎に配置されるコンピュータであり、図面３０の登録を予約する予約機能と、図面予約データに基づいて図面属性データＤａｔｔを登録するとともに登録依頼票を作成する登録機能と、所望の図面３０を検索する図面検索機能と、登録された複数の図面３０からなる工事報告書である完成報告書を検索する完成報告書検索機能とを備える。
【００２４】
予約機能は、データ記憶装置３４に格納された図面番号マスタテーブルＭＴ１を用いて、登録したい図面３０の図面番号を重複することなく予め予約する図面予約手段５８を備える。
【００２５】
登録機能は、図面予約手段５８により予約済みの図面番号に対して、図面３０の図面属性データＤａｔｔを登録する図面属性データ登録手段６０と、登録された図面属性データＤａｔｔに基づき、出力装置２４Ｂから登録依頼票６２（図１）を出力する登録依頼票出力手段６４とを備える。なお、登録依頼票６２は、登録作業を依頼するため、登録する図面３０とともに図面情報編集装置１４の作業者に提供されるものである。
【００２６】
図面検索機能は、所望の図面検索条件を設定し、その図面検索条件に該当する図面属性データＤａｔｔを有する図面３０を検索する図面検索手段６６と、検索された図面３０を図面圧縮画像データＤｃｏｍから作成し、図面属性データＤａｔｔとともに表示する検索図面表示処理手段６８と、検索図面表示処理手段６８により表示された圧縮された図面３０を、図面実画像データＤｏｒｇを用いて圧縮されていない図面３０として表示する選択図面表示処理手段７０と、選択図面表示処理手段７０により表示された図面３０を出力装置２４Ｂから出力する選択図面出力手段７２とを備える。
【００２７】
完成報告書検索機能は、所望の工事検索条件を設定し、その工事検索条件に該当する図面属性データＤａｔｔを有する完成報告書を検索する完成報告書検索手段７４を備える。なお、検索された完成報告書は、出力装置２４Ｂから出力させることができる。
【００２８】
図面作成装置２２は、ＣＡＤ（Computer Aided Design）装置から構成され、出力装置２４Ｃを用いて出力された図面３０は、図面登録装置１２によって登録され、また、その図面属性データＤａｔｔは、図面検索装置２０によって登録することができる。なお、図面作成装置２２に対して図面検索装置２０と同じ機能を付加することにより、図面作成装置２２によって所望の図面３０の登録及び検索を可能にすることもできる。
【００２９】
本実施形態の図面管理システム１０は、基本的には以上のように構成されるものであり、次に、この図面管理システム１０を用いた図面３０の登録、保存、検索処理につき、図３及び図４に示すフローチャートに基づいて説明する。
【００３０】
図面管理システム１０を起動すると、各作業者の図面検索装置２０のモニターには、図５に示すメニュー画面８０が表示される。
【００３１】
作業者が新規に図面３０を登録する場合（ステップＳ１）、先ず、「図面予約」ボタンを選択する。「図面予約」ボタンが選択されると、図６に示す図面番号予約画面８２が表示される。作業者は、この図面番号予約画面８２を用いて図面番号の予約を行う（ステップＳ２）。
【００３２】
図面番号は、図７に示すように、登録する図面３０の種別をアルファベットで示した［図面種別］と、図面３０が関係する設備の名称をアルファベットで示した［ライン名］と、重複しない４桁の連続数字からなる［連続番号］とで構成される。例えば、Ｄの［図面種別］は、機器の設計図面、Ｒの［図面種別］は、検討書、計算書、見積書等の文書イメージからなる書類図面、といったように分類する。また、Ｌ３の［ライン名］は、該当する部門の第３製造ライン、といったように分類する。これらの分類は、データ記憶装置３４の汎用コードマスタテーブルＭＴ２に予め設定されている。
【００３３】
そこで、汎用コードマスタテーブルＭＴ２に設定されている情報を用いて、図面３０が関係する設備である部門の情報及びラインの情報を入力すると、図面予約手段５８は、データ記憶装置３４に格納されている図面番号マスタテーブルＭＴ１及び図面属性データＤａｔｔを用いて、例えば、部門がＢ部、ラインがＬ３における図面番号の予約情報を表示する。
【００３４】
この場合、例えば、他の作業者によって既に予約されている図面番号Ｄ−Ｌ３−００８８は、図面名称の欄に「予約」と表示されるため、当該作業者が使用することはできない。また、図面番号Ｄ−Ｌ３−００８９は、設計区分、工程、装置、図面名称、作成日、担当の各欄に図面属性データＤａｔｔである各情報が表示されていることから、既に図面３０が登録されている図面番号である。従って、作業者は、これらの図面番号以外の図面番号を選択することになる。
【００３５】
予約可能な図面番号の［連続番号］を登録に必要な数だけ設定するとともに、予約者の氏名を入力し、「予約」ボタンを選択することにより、図面番号の予約処理が完了する。なお、作業者が登録する図面３０が既に登録されており、その図面３０を改訂する場合には、図面番号の予約処理は行わない。
【００３６】
次に、メニュー画面８０から「図面登録」ボタンが選択されると、図面属性データ登録手段６０は、図８に示す図面属性データ登録画面８４を表示し、登録作業が可能となる（ステップＳ３）。図面属性データ登録画面８４において、「依頼票作成」ボタンを選択すると、図９に示す新規に図面３０を登録するための新規登録画面８６が表示される。新規登録画面８６において、予約者氏名及びライン略称を入力すると、ステップＳ２で予約処理が行われている場合、予約者が図面番号予約画面８２で予約した図面番号の一覧が予約済図面番号として表示される。
【００３７】
そこで、作業者は、この新規登録画面８６を用いて、設計区分、図面３０を作成したメーカー名、図面３０の対象となる工事番号、設計者、作成年月日、各図面３０の図面枚数、図面サイズ等の各図面属性データＤａｔｔを入力するとともに、これらの図面属性データＤａｔｔが共通である図面番号を必要に応じて複数選択し、「図面登録依頼票作成」ボタンを選択すると、新規登録画面８６で入力した各図面属性データＤａｔｔが反映された状態で図８に示す図面属性データ登録画面８４が表示される。作業者は、表示された図面属性データ登録画面８４に対して、さらに必要な図面属性データＤａｔｔの入力作業を行う。
【００３８】
この場合、図面属性データＤａｔｔの入力作業は、データ記憶装置３４の汎用コードマスタテーブルＭＴ２に登録されているキーワードの選択によって行われるため、作業者毎に異なる形式で図面属性データＤａｔｔが入力されてしまう事態を回避することができる。なお、例えば、キーワードとして登録することが困難な図面名称については、図１０に示すように、［工事件名］［設備名称］［図面種類］の順に記載する入力規則を設定しておくことにより、一般化された形式での図面属性データＤａｔｔの入力が可能となる。
【００３９】
このように、新規登録画面８６を用いて共通する図面属性データＤａｔｔを一括入力することにより、重複した入力作業を削減して効率的に図面属性データＤａｔｔを設定することができる。
【００４０】
一方、ステップＳ２で図面番号の予約処理が行われていない場合であって、既に登録されている図面３０の改訂を行う場合には、図９に示す新規登録画面８６から改訂登録図面のタグを選択し、図１１に示す改訂登録画面８８を表示する。次いで、改訂する図面３０のＩＤ番号又は図面番号を入力し、「検索」ボタンを選択する。図面属性データ登録手段６０は、データ記憶装置３４の図面属性データＤａｔｔを検索し、該当するデータを改訂登録画面８８に表示する。そして、作業者は、表示された図面属性データＤａｔｔに対して、改訂番号（新Ｒｅｖ．）を含む改訂情報を入力し、「図面登録依頼票作成」ボタンを選択すると、改訂登録画面８８で入力した各図面属性データＤａｔｔが反映された状態で図８に示す図面属性データ登録画面８４が表示される。作業者は、表示された図面属性データ登録画面８４に対して、さらに必要な図面属性データＤａｔｔの入力作業を行う。
【００４１】
なお、図面属性データ登録手段６０は、改訂登録画面８８を用いた改訂登録処理が行われた場合、改訂前の古い図面３０に係る情報を図面履歴マスタテーブルＭＴ３に格納する。
【００４２】
以上のようにして図面属性データＤａｔｔを設定した後、図面属性データ登録画面８４において「登録ポストへ送信」ボタンを選択することにより、図面予約データが図面情報編集装置１４に送信される。
【００４３】
次いで、図面属性データ登録画面８４において「印刷」ボタンを選択すると、登録依頼票出力手段６４により図１２に示す登録依頼票６２が出力装置２４Ｂから出力される（ステップＳ４）。
【００４４】
作業者は、出力された登録依頼票６２の担当の欄にサインをし、登録依頼票６２を登録する図面３０に添付して承認者に提出する。承認者は、当該図面３０の内容を確認し、登録依頼票６２の承認の欄にサインする（ステップＳ５）。
【００４５】
承認者によって承認された図面３０は、図面登録者に渡され、図面３０の登録作業が行われる。この場合、図面３０の登録に先立ち、図面情報編集装置１４のバーコード出力手段４６が図面３０の図面属性データＤａｔｔとして設定されたＩＤ番号を付したバーコード４４を出力装置２４Ａから出力し（ステップＳ６）、図１３に示すように、該当する単品図面である図面３０の所定個所に添付する（ステップＳ７）。なお、図面３０が回路図面や検討書等の複数の書類を束とした束図面からなる場合には、図１４に示すように、各図面３０の束の上に所定のタイトル等を記載したカバー書面９０を追加し、そのカバー書面９０にバーコード４４を添付する。
【００４６】
次いで、図面登録者は、図面３０に添付された登録依頼票６２（図１２）と、図面予約データとして登録ポストに格納されている図面属性データＤａｔｔとを比較して確認した後、図面登録装置１２による図面３０の登録処理を開始する。
【００４７】
そこで、図面情報編集装置１４の図面読込条件設定手段３８は、モニターに図面３０の解像度、読込サイズ、読込方向等の図面読込条件の設定画面を表示する。図面登録者は、その設定画面に従い、登録する図面３０に応じた図面読込条件の設定を行う（ステップＳ８）。
【００４８】
図面読込条件が設定されると、図面情報編集装置１４の図面入出力手段３６は、図面登録装置１２を図面読込条件に従って制御し、スキャナ２８により図面３０の読込処理を行う（ステップＳ９）。
【００４９】
スキャナ２８によって読み込まれた図面３０は、圧縮処理の施されないそのままの画像データである図面実画像データＤｏｒｇとして、関連する図面属性データＤａｔｔともにデータ記憶装置３２に登録される（ステップＳ１０）。
【００５０】
なお、図面情報編集装置１４は、図面実画像データＤｏｒｇをデータ記憶装置３２に登録した際、図面属性データＤａｔｔに対して図面３０がデータ記憶装置３２に入力されたことを示す図面登録装置入力フラグを設定する（図１５参照）。また、図面３０を登録後、図面登録者は、登録依頼票６２（図１２）の登録の欄にサインし、図面３０とともに図面登録依頼者に返却する。
【００５１】
図面情報編集装置１４は、図面実画像データＤｏｒｇをデータ記憶装置３２に登録した後、図面圧縮手段４０により図面実画像データＤｏｒｇに間引き処理等の圧縮処理を施し（ステップＳ１１）、図面圧縮画像データＤｃｏｍを作成する。次いで、図面入出力手段３６は、図面実画像データＤｏｒｇ及び図面圧縮画像データＤｃｏｍをネットワーク２６を介して図面情報蓄積装置１６に送信し、データ記憶装置３４に登録する（ステップＳ１２）。
【００５２】
一方、図面保存処理装置１８は、図面実画像データＤｏｒｇがデータ記憶装置３２に登録されていることを図面属性データＤａｔｔの図面登録装置入力フラグに基づいて確認すると、当該図面３０がマイクロフイルム５０に保存されているか否かを、図面属性データＤａｔｔのＭＦ保管フラグ（図１５参照）に基づいて確認する（ステップＳ１３）。
【００５３】
図面保存処理装置１８は、マイクロフイルム５０に保管されていない図面３０がある場合、図面検索手段５２によって該当する図面３０に係る図面実画像データＤｏｒｇをデータ記憶装置３２から読み込み（ステップＳ１４）、図面出力手段５４によりＣＤ−ＲＯＭ等を介してマイクロフイルム５０に出力して保存する（ステップＳ１５）。また、属性データ編集手段５６は、図面属性データＤａｔｔにＭＦ保管フラグを設定するとともに、マイクロフイルム５０の番号（ＭＦ−番号）を設定し、データ記憶装置３２及びデータ記憶装置３４の図面属性データＤａｔｔを書き替える。
【００５４】
なお、マイクロフイルム５０に対して図面３０を登録することにより、万が一、データ記憶装置３２及びデータ記憶装置３４に登録されたデータが破壊されてしまった場合であっても、マイクロフイルム５０から当該データを復活させることができる。従って、マイクロフイルム５０に図面３０が保存されたことが確認されたとき、紙図面としての図面３０を廃棄することができるため、それによる保管場所を確保する必要がなくなる。
【００５５】
次に、以上のようにして登録された図面３０の検索処理につき、図４に示すフローチャートに従って説明する。
【００５６】
図面検索装置２０のモニターに表示されたメニュー画面８０（図５）において、「図面検索」ボタンが選択されると、図１５に示す検索条件入力画面９２が表示される。作業者は、この検索条件入力画面９２を用いて所望の図面３０の検索条件を入力する（ステップＳ２１）。検索条件としては、データ記憶装置３４に格納されている図面３０に係る図面属性データＤａｔｔが用いられる。
【００５７】
検索条件が入力され、「検索実行」ボタンが選択されると、図面検索手段６６は、検索条件に該当する図面属性データＤａｔｔを検索し（ステップＳ２２）、図１６に示す図面検索結果画面９４を表示する（ステップＳ２３）。この図面検索結果画面９４には、検索された各図面３０の図面属性データＤａｔｔのみが表示される。
【００５８】
そこで、作業者は、図面検索結果画面９４に表示された図面属性データＤａｔｔから所望の図面データを指定する（ステップＳ２４）。なお、表示された図面属性データＤａｔｔだけでは、所望の図面データを１つに絞ることが困難である場合には、複数の図面データを指定する。
【００５９】
所望の図面データを指定して「図面ビュアー」ボタンを選択すると、検索図面表示処理手段６８は、図面情報蓄積装置１６に対して指定した図面データに係る図面圧縮画像データＤｃｏｍを要求する（ステップＳ２５）。図面情報蓄積装置１６は、要求された図面圧縮画像データＤｃｏｍをデータ記憶装置３４から読み出して図面検索装置２０に送信する。図面検索装置２０は、図１７に示すように、送信された図面圧縮画像データＤｃｏｍに従った圧縮図面９６を、その図面属性データＤａｔｔとともに図面検索結果画面９８として表示する（ステップＳ２６）。
【００６０】
この場合、図面検索結果画面９８に表示される圧縮図面９６は、図面実画像データＤｏｒｇよりも遙かにデータ量の少ない図面圧縮画像データＤｃｏｍをデータ記憶装置３４から転送して表示されるため、表示に要する時間は極めて短時間で済む。なお、図面検索結果画面９８には、図面属性データＤａｔｔとして図面名称の欄が設けられているため、作業者は、表示された圧縮図面９６が判別困難な場合であっても、表示された図面名称から図面内容を把握することができる。
【００６１】
また、図面検索結果画面９８には、横スクロールバー１００及び縦スクロールバー１０２が表示されている。図１６において複数の図面データが選択されている場合、横スクロールバー１００を操作することにより、各図面データに係る図面属性データＤａｔｔ及びその圧縮図面９６が、図面検索結果画面９４で指定された図面データの順に、図１８に示す圧縮図面ａ１、ａ２、…、ａ５の順にスクロールして表示される（ステップＳ２７）。この場合、各圧縮図面９６を構成するデータ量が少ないため、遅滞なく圧縮図面９６を表示することができる。
【００６２】
なお、横スクロールバー１００を押し続けることにより圧縮図面９６を連続的にスクロールすることができ、そのときのスクロール速度は、速度設定バー１０４を操作することにより任意に調整することができる。
【００６３】
縦スクロールバー１０２は、図１４に示す回路図面や検討書のように、複数枚の図面を束として図面３０が構成されている場合のスクロール処理を行うためのものである。すなわち、図１６の図面検索結果画面９４において、原図枚数のデータとして２以上のデータが設定されている場合、図面検索結果画面９８には、カバー書面９０が圧縮図面９６として表示される。この圧縮図面９６が図１８に示す圧縮図面ａ２又はａ４であるとすると、その表示状態において縦スクロールバー１０２を操作することにより、図面名称を除く図面属性データＤａｔｔは固定表示されるが、図面名称及び圧縮図面９６が、圧縮図面ｂ１、ｂ２、…、ｂｎ、又は、圧縮図面ｃ１、ｃ２、…、ｃｎの順にスクロールして表示される（ステップＳ２７）。
【００６４】
なお、横スクロールバー１００の場合と同様に、速度設定バー１０４を操作することにより、縦スクロールバー１０２を押し続けた場合のスクロール速度を任意に調整することができる。
【００６５】
以上のようにして圧縮図面９６を順次表示することにより所望の図面３０が検出された後、図面検索結果画面９８において「現在図面表示」ボタンを選択すると（ステップＳ２８）、選択図面表示処理手段７０は、図面情報蓄積装置１６に対して表示されている図面データに係る図面実画像データＤｏｒｇを要求する（ステップＳ２９）。図面情報蓄積装置１６は、要求された図面実画像データＤｏｒｇをデータ記憶装置３４から読み出して図面検索装置２０に送信する。図面検索装置２０は、図１９に示すように、送信された図面実画像データＤｏｒｇに従った圧縮されていない実図面１０６を図面検索結果画面１０８として表示する（ステップＳ３０）。
【００６６】
この場合、図面検索結果画面１０８に表示される実図面１０６は、圧縮されていない図面実画像データＤｏｒｇをデータ記憶装置３４から転送して表示するため、圧縮図面９６の場合よりも長い表示時間を要するが、実図面１０６が１つに特定されているため、表示時間はさほど問題にならない。なお、表示されている部分を示す全体表示圧縮図面１１０を実図面１０６に合わせて表示させることにより、モニターに実図面１０６の全体を表示できない場合であっても、表示されている実図面１０６の位置を容易に確認することができる。
【００６７】
作業者は、表示された実図面１０６を確認し、所望の図面３０に係るものである場合、印刷処理を選択し、出力装置２４Ｂより当該図面３０を出力する（ステップＳ３１）。
【００６８】
次に、完成報告書を検索する場合について説明する。ここで、完成報告書とは、例えば、設備に対して工事を行った場合、その工事に関連する設計図面、検討書、見積書等の一連の図面３０をファイリングしたものである。
【００６９】
そこで、図５に示すメニュー画面８０において、完成報告書を検索するための「完報検索」ボタンが選択されると、図２０に示す検索条件入力画面１１２が表示される。作業者は、この検索条件入力画面１１２を用いて所望の工事を検索する。例えば、図面３０を登録する際、図面属性データＤａｔｔとして工事番号（図９参照）及び工事タイトルを設定しておくことにより、工事番号が同じ図面属性データＤａｔｔを同一の工事に関連するものとして検索することができる。
【００７０】
完成報告書検索手段７４は、検索条件入力画面１１２に入力された図面属性データＤａｔｔを検索条件として該当する工事番号からなる完成報告書を検索し、図２１に示す完成報告書リスト表示画面１１４を表示する。作業者は、完成報告書リスト表示画面１１４に表示された工事タイトルである完成報告書タイトル等に基づいて所望の完成報告書を選択することにより、関連する図面３０を抽出することができる。また、必要に応じて完成報告書を構成する全ての図面３０を出力装置２４Ｂを用いて出力することもできる。
【図面の簡単な説明】
【００７１】
【図１】本実施形態の図面管理システムの全体構成図である。
【図２】本実施形態の図面管理システムを構成する要部装置の機能ブロック図である。
【図３】図面予約処理、図面登録処理及び図面保存処理のフローチャートである。
【図４】図面検索処理のフローチャートである。
【図５】図面検索装置のモニターに表示されるメニュー画面の説明図である。
【図６】図面検索装置のモニターに表示される図面番号予約画面の説明図である。
【図７】図面番号の入力規則の説明図である。
【図８】図面検索装置のモニターに表示される図面属性データ登録画面の説明図である。
【図９】図面検索装置のモニターに表示される新規登録画面の説明図である。
【図１０】図面名称の入力規則の説明図である。
【図１１】図面検索装置のモニターに表示される改訂登録画面の説明図である。
【図１２】図面検索装置によって作成される登録依頼票の説明図である。
【図１３】図面の説明図である。
【図１４】複数の図面を束として構成される図面の説明図である。
【図１５】図面検索装置のモニターに表示される検索条件入力画面の説明図である。
【図１６】図面検索装置のモニターに表示される図面検索結果画面の説明図である。
【図１７】図面検索装置のモニターに表示される圧縮図面からなる図面検索結果画面の説明図である。
【図１８】図１７に示す圧縮図面のスクロールの説明図である。
【図１９】図面検索装置のモニターに表示される実図面からなる図面検索結果画面の説明図である。
【図２０】図面検索装置のモニターに表示される検索条件入力画面の説明図である。
【図２１】図面検索装置のモニターに表示される完成報告書リスト表示画面の説明図である。
【符号の説明】
【００７２】
１０…図面管理システム      １２…図面登録装置
１４…図面情報編集装置      １６…図面情報蓄積装置
１８…図面保存処理装置      ２０…図面検索装置
２２…図面作成装置          ２４Ａ〜２４Ｃ…出力装置
２６…ネットワーク          ２８…スキャナ
３０…図面                  ３２、３４…データ記憶装置
４４…バーコード            ５０…マイクロフイルム
６２…登録依頼票            Ｄａｔｔ…図面属性データ
Ｄｏｒｇ…図面実画像データ  Ｄｃｏｍ…図面圧縮画像データ
【図１】
2005135121.tif 000003
【図２】
2005135121.tif 000004
【図３】
2005135121.tif 000005
【図４】
2005135121.tif 000006
【図５】
2005135121.tif 000007
【図６】
2005135121.tif 000008
【図７】
2005135121.tif 000009
【図８】
2005135121.tif 000010
【図９】
2005135121.tif 000011
【図１０】
2005135121.tif 000012
【図１１】
2005135121.tif 000013
【図１２】
2005135121.tif 000014
【図１３】
2005135121.tif 000015
【図１４】
2005135121.tif 000016
【図１５】
2005135121.tif 000017
【図１６】
2005135121.tif 000018
【図１７】
2005135121.tif 000019
【図１８】
2005135121.tif 000020
【図１９】
2005135121.tif 000021
【図２０】
2005135121.tif 000022
【図２１】
2005135121.tif 000023